(57)【要約】      （修正有）【課題】塵埃の侵入による表示画像への影響を抑制することが可能な表示装置を提供することを目的とする。【解決手段】本発明の表示装置は、バックライトユニット、バックライトユニットの前面側に配置された枠状のパネルホルダと、パネルホルダの前面側に配置された矩形の表示パネル１１と、パネルホルダと表示パネル１１との間に配置された表示パネル１１の短手方向に沿って配置された２本のクッション部材４０ｖと長手方向に沿って配置された２本のクッション部材４０ｈとを備え、各クッション部材４０ｖの長さは、２本のクッション部材４０ｈの長手方向における間隔よりも長く、各クッション部材４０ｈの長さは、２本のクッション部材４０ｖの短手方向における間隔よりも長く、クッション部材４０ｖの端部は、クッション部材４０ｈの側面に沿って屈曲して配置されることを特徴とする。【選択図】図３
2019211731.tif 000002
【特許請求の範囲】
【請求項１】
バックライトユニットと、
前記バックライトユニットの前面側に配置された枠状のパネルホルダと、
前記パネルホルダの前面側に配置された矩形の表示パネルと、
前記パネルホルダと前記表示パネルとの間に配置された前記表示パネルの四辺のうち第１方向に沿って配置された２本の第１弾性部材と、
前記パネルホルダと前記表示パネルとの間に配置された前記第１方向と異なる第２方向に沿って配置された２本の第２弾性部材と
を備え、
各第１弾性部材の長さは、前記２本の第２弾性部材の前記第１方向における間隔よりも長く、
各第２弾性部材の長さは、前記２本の第１弾性部材の前記第２方向における間隔よりも長く、
前記第１弾性部材の端部は、前記第２弾性部材の側面に沿って屈曲して配置される
ことを特徴とする表示装置。
【請求項２】
前記第１弾性部材は、端部にスリットを備え、
前記第１弾性部材は、前記第１弾性部材の前記スリットが前記第２弾性部材の側面の二ヶ所で押し当たるように配置されることを特徴とする請求項１に記載の表示装置。
【請求項３】
前記パネルホルダの角部は、前記第１弾性部材の幅と前記第２弾性部材の幅との和よりも狭い間隔で設けられたリブ部材を備え、
前記リブ部材は、前記パネルホルダの角部において、前記第１弾性部材と前記第２弾性部材とを挟持して固定することを特徴とする請求項１に記載の表示装置。
【請求項４】
前記第１弾性部材の端部は、前記第２弾性部材に対して平行になるように屈曲することを特徴とする請求項１乃至請求項３のいずれか１項に記載の表示装置。
【請求項５】
前記第１弾性部材は、前記第１弾性部材の中央側で前記パネルホルダに接着する接着部を備え、
前記第１弾性部材は、前記第１弾性部材の端部側に前記接着部を設けないことを特徴とする請求項１乃至請求項４のいずれか１項に記載の表示装置。
【請求項６】
前記第１弾性部材は、前記第１弾性部材の端部側に摺動性を備えるシートを備えることを特徴とする請求項５に記載の表示装置。
【発明の詳細な説明】
【技術分野】
【０００１】
本発明は、バックライトと表示パネルとを備える表示装置に関する。
【背景技術】
【０００２】
光を発するバックライトユニットと、バックライトユニットから照射された光を透過して画像を表示する表示パネルと、バックライトと表示パネルとの間に設けられたパネルホルダとを備える表示装置がある。このような表示装置では、パネルホルダと表示パネルとの間にそれぞれ緩衝部材（クッション）を設け、表示パネルを支持するとともに、大きな応力が表示パネルにかかることを抑制する。
【０００３】
一方、このような表示装置において、バックライトユニットと表示パネルとの間の空間に、外部から塵埃（ほこり等）が侵入することがある。バックライトユニットと表示パネルとの間の空間に塵埃が侵入すると、バックライトユニットから表示パネルに照射する光の一部を遮り、表示される画像の輝度が低下する等の画像影響が発生することがある。
【０００４】
特許文献１の表示装置は、パネルを支持する長辺側モールドフレーム上の長辺側ゴムクッション（弾性部材）の両端部を延長させた延在部が、短辺側モールドフレーム上の短辺側ゴムクッションと略Ｔ字状に交差するように、突き合わせて配置される。
【先行技術文献】
【特許文献】
【０００５】
【特許文献１】特開２００８−１９１６０７号公報
【発明の概要】
【発明が解決しようとする課題】
【０００６】
しかしながら、上述の特許文献１の表示装置では、短辺側のクッションの寸法公差、貼り付け位置のずれ、または熱変形等により、突き合わせたクッション間の距離が拡大する場合がある。突き合わせたクッション間の距離が拡大すると、クッション間に発生した隙間から塵埃が侵入してしまうことが懸念される。
【０００７】
表示パネルとバックライトユニットとの間に塵埃が侵入すると、表示される画像の輝度が低下する等の画像影響が発生することがある。
【０００８】
上述の課題に鑑みて、本発明は、塵埃の侵入による表示画像への影響を抑制することが可能な表示装置を提供することを目的とする。
【課題を解決するための手段】
【０００９】
本発明に係る表示装置は、バックライトユニットと、前記バックライトユニットの前面側に配置された枠状のパネルホルダと、前記パネルホルダの前面側に配置された矩形の表示パネルと、前記パネルホルダと前記表示パネルとの間に配置された前記表示パネルの４辺のうち第１方向に沿って配置された２本の第１弾性部材と、前記パネルホルダと前記表示パネルとの間に配置された前記第１方向と異なる第２方向に沿って配置された２本の第２弾性部材とを備え、各第１弾性部材の長さは、前記２本の第２弾性部材の前記第１方向における間隔よりも長く、各第２弾性部材の長さは、前記２本の第１弾性部材の前記第２方向における間隔よりも長く、前記第１弾性部材の端部は、前記第２弾性部材の側面に沿って屈曲して配置されることを特徴とする。
【発明の効果】
【００１０】
本発明によれば、表示パネルを支持する緩衝部材間の隙間の発生を抑制することが可能となる。したがって、塵埃の侵入による表示画像への影響を抑制することが可能となる。
【図面の簡単な説明】
【００１１】
【図１】表示装置の構成を示す斜視図である。
【図２】パネルホルダとクッション部材と配置を示す正面図である。
【図３】パネルホルダの角におけるパネルホルダとクッション部材との配置を示す模式図である。
【図４】表示装置のフレームと表示パネルとを透過した正面図である。
【図５】表示装置の角部の断面図である。
【図６】表示装置の表示パネルとパネルホルダとの間の断面を正面から見た模式図である。
【図７】表示装置のパネルホルダの角部の模式図である。
【図８】本実施例に係る表示装置のパネルホルダの角部の模式図である。
【図９】表示装置の塵埃の侵入経路を示す図である。
【図１０】比較例におけるクッション部材の角部の配置を示す模式図である。
【図１１】比較例における塵埃の侵入経路を示す断面図である。
【発明を実施するための形態】
【００１２】
＜実施例１＞
以下、本発明の実施例１について説明する。図１は、表示装置１の構成を示す斜視図である。
【００１３】
表示装置１は、フレーム１０と、表示パネル１１と、パネルホルダ３０と、バックライトユニット２０と、制御基板１２と、カバー１３とを備える。また、フレーム１０と表示パネル１１との間にクッション部材４１を備える。パネルホルダ３０と表示パネル１１との間にクッション部材４０を備える。
【００１４】
フレーム１０は、表示パネル１１の前面側に設けられ、表示パネル１１の表示領域が露出するように枠状に形成された支持部材である。フレームは板金等の金属材料で形成される。
【００１５】
表示パネル１１は、画像データに基づいて光の透過率を制御し、バックライトユニット２０から照射された光を透過して画像を表示する透過型の表示パネルである。表示パネル１１は、透過素子として液晶素子を用いる液晶パネルであるとする。表示パネル１１は、長方形のパネルであり、表示装置１の使用時における水平方向が表示パネル１１の四辺の長手方向に対応し、表示装置１の使用時における垂直方向が表示パネル１１の四辺の短手方向に対応する。なお、使用時における水平／垂直方向と、表示パネル１１の長手／短手方向の対応関係は、上述の関係に限らない。表示パネル１１は、バックライトユニット２０から照射された光を透過して画像を表示する表示領域を備える。
【００１６】
フレーム１０と表示パネル１１との間には、クッション部材４１が設けられる。クッション部材４１は、表示パネル１１の表示領域の周辺領域に設けられる。表示領域は、矩形状の領域であるとする。したがって、周辺領域は、矩形の開口を備える枠状の形状である。クッション部材４１は、周辺領域のうち、表示パネル１１の長手方向に対応する２本のクッション部材４１ｈと、表示パネル１１の短手方向に対応する２本のクッション部材４１ｖと、を備える。
【００１７】
バックライトユニット２０は、表示パネル１１に光を照射するための照明装置である。バックライトユニット２０の詳細は後述する。
【００１８】
制御基板１２は、表示パネル１１の透過率やバックライトユニット２０の発光輝度等を制御して、表示装置１に画像を表示させる制御を実行するための回路基板である。
【００１９】
カバー１３は、バックライトユニット２０の背面と、制御基板１２とを収容する収容部材である。カバー１３は、フレーム１０と表示パネル１１およびバックライトユニット２０の側面を覆うように接続して、表示装置１の外装を形成する。
【００２０】
バックライトユニット２０は、光源基板２１、光学シート２２、反射シート２３、およびバックライトケース２４を備える。バックライトユニット２０は、表示パネル１１の背面に光源を設けた直下型のバックライトである。バックライトユニット２０は、表示パネルの背面に導光板を設け、導光板の側面に光源を配置したエッジライト型のバックライトであってもよい。
【００２１】
光源基板２１は、光を発する光源が実装された基板である。光源はＬＥＤであるとする。なお、光源は、冷陰極管等の他の光源を用いてもよい。
【００２２】
光学シート２２は、光源から出力された光を拡散して、表示パネル１１に照射するための拡散シートである。光学シート２２は、光を拡散や集光する特性を備えるＰＥＴやＰＣ等の複数の樹脂シートからなり、表示パネル１１を照明するバックライトユニット２０の光の特性を制御する機能を備える。
【００２３】
反射シート２３は、高い反射特性および拡散特性を備えるＰＥＴ等樹脂シートである。反射シート２３は、光源基板２１の前面側に設けられ、光源が露出するように開口を備える。
【００２４】
バックライトケース２４は、光源基板２１および反射シート２３を収納する収納部材（ケース）である。バックライトケース２４は、熱伝導性のよいアルミ合金等の板金を箱状に折り曲げて形成される。バックライトケース２４は、光源基板２１で発生した熱をバックライトユニット２０の背面側へ放熱する機能を備える。
【００２５】
パネルホルダ３０は、表示パネル１１を背面側から支持し、かつ、光学シート２２を前面側から指示する為の枠状の支持部材である。パネルホルダ３０は、バックライトユニット２０の前面側に配置される。なお、パネルホルダ３０は、バックライトユニット２０に含まれていてもよい。
【００２６】
パネルホルダ３０は、２本の長手ホルダ部材３０ｈと、２本の短手ホルダ部材３０ｖとを組み合わせた枠状の支持部材である。パネルホルダ３０の中央の開口部を介して光学シート２２から出力された光が表示パネル１１の裏面に照射する。パネルホルダ３０の各ホルダ部材は樹脂の成型品である。
【００２７】
光学シート２２は、正面側および背面側からパネルホルダ３０とバックライトケース２４で挟持されて固定される。表示パネル１１は、フレーム１０とパネルホルダ３０とで狭持されて固定される。
【００２８】
バックライトユニット２０のパネルホルダ３０と表示パネル１１との間にクッション部材４０を備える。
【００２９】
表示パネル１１が熱や外力によって変形した場合に、表示パネル１１が光学シート２２に接触しないように、表示パネル１１とバックライトユニット２０（光学シート２２）とは、それぞれの間に所定の間隔を設けるために配置される。また、表示パネル１１とバックライトユニット２０（光学シート２２）との間に設けられた間隔は、光学シート２２から出力された光が表示パネル１１に照射されるまでに、光が適切に拡散する効果を生む。パネルホルダ３０およびクッション部材４０は、上述の目的のため、配置される。
【００３０】
図２は、パネルホルダ３０とクッション部材４０と配置を示す正面図である。図３は、パネルホルダ３０の角におけるパネルホルダ３０とクッション部材４０との配置を示す模式図である。
【００３１】
パネルホルダ３０は、２本の長手ホルダ部材３０ｈと、２本の短手ホルダ部材３０ｖとを組み合わせた枠状の支持部材である。クッション部材４０は、長手ホルダ部材３０ｈに対応する２本の矩形断面のクッション部材４０ｈと、短手ホルダ部材３０ｈに対応する２本のクッション部材４０ｖとを備える。
【００３２】
言い換えると、クッション部材４０ｈは、表示パネル１１とパネルホルダ３０との間で、表示パネル１１の長手方向に沿って配置された、矩形断面を有する緩衝部材である。クッション部材４０ｖは、表示パネル１１とパネルホルダ３０との間で、表示パネル１１の短手方向に沿って配置された、矩形断面を有する弾性部材である。
【００３３】
クッション部材４０は、表示パネル１１に力が掛かりすぎて表示ムラが発生することを防ぐため反発力が低いＥＰＤＭ（エチレンプロピレンゴム）やウレタンの発泡体からなり、一面にパネルホルダ３０に接着するためのテープを備えている。クッション部材４０は、対応するホルダ部材に少なくとも一部が接着されて固定される。
【００３４】
パネルホルダ３０は、対応するクッション部材が接着された各ホルダ部材を組み付けることにより、形成される。
【００３５】
また、クッション部材４０ｖの長さは、パネルホルダ３０に貼り付けた２本のクッション部材４０ｈの間の間隔より長い。
【００３６】
図３に示すように、クッション部材４０ｖの端部は、パネルホルダ３０を組み付けるときに、屈曲する。クッション部材４０ｖの端部の側面が、クッション部材４０ｈの矩形断面の内側の側面に押し当たる。クッション部材４０ｖの端部は、パネルホルダ３０の角部において、クッション部材４０ｈの端部と平行になるように押し当てられる。ここで、内側は、表示装置１の表示領域側を示す。
【００３７】
ここで、クッション部材４０ｖの端部は、ホルダ部材に対して固定されない非接着部４０ａを有する。つまり、クッション部材４０ｖは、中央側にホルダ部材３０ｖと接着する接着部を有し、かつ、端部側にホルダ部材と接着しない非接着部４０ａを有する。クッション部材４０ｖの端部をクッション部材４０ｈに押し当てた際に、非接着部４０ａが変形することにより、よりスムーズに変形し、クッション部材４０ｖとクッション部材４０ｈとの密着性が向上する。なお、非接着部４０ａには、摺動性を備えるシートを設けて、押し当てて配置する際により移動性を高めてもよい。
【００３８】
なお、縦方向のクッション部材４０ｖを横方向のクッション部材４０ｈに押し当てる構造となっているが、反対に横方向のクッション４０ｈを縦方向のクッション４０ｖに押し当てる構造であってもよい。
【００３９】
以上のような構成により、表示パネル１１とバックライトユニット２０との間に設けられたクッション部材４０は、クッション部材４０の貼り付け位置がずれても、互いに密着するように冗長性を持って配置される。
【００４０】
次に、表示装置の塵埃の侵入と、本実施例のクッション部材４０の構成をとらない場合の比較例について説明する。
【００４１】
図９は表示装置１００１の塵埃の侵入経路を示す図である。図９（ａ）は表示装置１００１の正面図、図９（ｂ）は表示装置１００１の側面図、図９（ｃ）は表示装置１００１の背面図をそれぞれ示す。
【００４２】
塵埃１００は、質量が軽いため舞い上がり自重で落下する。落下した塵埃１００は、フレーム１０と表示パネル１０１１との下辺に堆積する。堆積した塵埃１００の多くは、例えば、カバー１０１３の背面側に備えられたファン１１５０や、表示装置で発生した熱によって発生する自然対流による気流によって、表示装置１００１外に放出される。
【００４３】
一方で、塵埃１００の一部が、表示パネル１０１１とバックライトユニット１０２０との間に侵入しようとする場合がある。
【００４４】
比較例の表示装置１００１では、上述の本実施例と同様に、長手方向のパネルホルダ１０３０ｈ上に配置するクッション部材１０４０ｈを、パネルホルダ１０３０ｖ上に配置するクッション部材１０４０ｖとの交差部よりも長くする。そして、角部において、クッション部材１０４０ｈとクッション部材１０４０ｖとは、略Ｔ字状に配置される。
【００４５】
図１０は、比較例におけるクッション部材１０４０の角部の配置を示す模式図である。比較例の表示装置１００１は、短手方向のクッション部材１０４０ｖの長さを、２本の長手方向のクッション部材１０４０ｈの間隔と同じとなるように成形し、パネルホルダ１０３０に配置する。
【００４６】
図１０（ａ）は、短手方向のクッション部材１０４０ｈの貼り付け位置が設計位置である場合を示す。図１０（ｂ）は、短手方向のクッション部材１０４０ｈの貼り付け位置が、垂直方向の上側にずれた場合を示す。図１０（ｂ）に示すように、比較例のクッション部材１０４０ｖでは、貼り付け位置がずれることによって、角部に隙間が生じる場合がある。
【００４７】
図１１は、図９の正面右下の断面Ｂ−Ｂの塵埃の侵入経路を示す断面図である。塵埃１００の一部は、図１０（ｂ）に示した隙間を通過して、表示パネル１０１１とバックライトユニット１０２０の間に侵入し、バックライトユニット１０２０の表面および表示パネル１０１１の裏面に塵埃１００が付着することがある。塵埃１００が付着すると、バックライトユニット１０２０の光を妨げ、表示パネル１０１１に黒点として表れ、表示画像の画質が低下する。
【００４８】
次に、本実施例の表示装置１の防塵効果について説明する。図４は、表示装置１の角部の正面図である。図５は、表示装置１の角部の断面図である。図６は、表示装置１の表示パネル１１とパネルホルダ３０との間の断面を正面から見た模式図である。図６（ａ）は、クッション部材４０ｖの貼り付け位置が、設計位置に配置された場合を示す。図６（ｂ）はクッション部材４０ｖの貼り付け位置が、垂直方向にずれた場合を示す。
【００４９】
図４は、表示装置１のフレーム１０と表示パネル１１とを透過した正面図を示す。図４に示すように、フレーム１０の裏面にはクッション部材４１が設けられる。長手方向に延伸するクッション部材４１ｈと、短手方向に延伸するクッション部材４１ｖとは、角部において隙間Ｘが生じているとする。塵埃１００は、フレーム１０の表示パネル１１の表示領域に対向する開口形状の端部から表示装置１に侵入した場合、塵埃１００は、隙間Ｘから表示パネル１１の裏面へ侵入する。
【００５０】
図５に示すように、隙間Ｘから侵入した塵埃１００は、パネルホルダ３０のクッション部材４０の周辺に到達する。しかし、図６に示すように、表示パネル１１とパネルホルダ３０との間に設けられたクッション部材４０は、クッション部材４０ｈにクッション４０ｖが押し当てられていることから、角部に隙間が生じない。したがって、塵埃１００が表示パネル１１とパネルホルダ３０との間からバックライトユニット２０の内部に侵入することを抑制することが可能となる。また、図６（ｂ）に示すように、クッション部材４０ｖの貼り付け位置がずれても、クッション部材４０ｖの端部がクッション部材４０ｈの矩形状の断面の側面に押し当てられていることから、塵埃１００が侵入しない。
【００５１】
したがって、表示パネル１１とバックライトユニット２０の間に、塵埃１００が侵入することによる表示画像への影響を抑制することが可能となる。
【００５２】
＜実施例２＞
以下、図に基づいて本発明第２の実施例を説明する。
【００５３】
図７を用いて本実施例の表示装置について説明する。図７は、本実施例に係る表示装置１のパネルホルダ３０の角部の模式図を示す。
【００５４】
本実施例の概要は第１の実施例と同様であり、異なる部分について説明する。表示装置１は、表示パネル１１の背面側からパネルホルダ３０で収容した構造になっている。パネルホルダ３０には、クッション部材４０を設け表示パネル１１を保持している。
【００５５】
パネルホルダ３０は、２本の横方向のホルダ部材３０ｈと２本の縦方向のホルダ部材３０ｖとを合わせて枠形状を形成している。パネルホルダ３０のクッション４０はそれぞれ矩形状の断面を有する２本の横方向のクッション部材４０ｈと２本の縦方向のクッション部材４０ｖとを合わせて枠形状を形成している。
【００５６】
縦方向のクッション部材４０ｖの長さは、ホルダ部材３０ｈに貼り付けた２本の横方向クッション部材４０ｈの間の間隔より長い。また、縦方向のクッション部材４０ｖは、両端にスリット４０ｓを備える。各ホルダ部材を組み合わせてパネルホルダ３０を組み付けた際に、縦方向のクッション部材４０ｖの両端のスリット４０ｓが広がり、縦方向のクッション部材４０ｖが横方向のクッション部材４０ｈの長辺に二ヶ所で押し当たる。したがって、パネルホルダ３０の角部において、縦方向のクッション部材４０ｖと横方向のクッション部材４０ｈの押し当て面積が二倍になるため、防塵性能が向上する。
【００５７】
したがって、表示パネル１１とバックライトユニット２０の間に、塵埃１００が侵入することによる表示画像への影響を抑制することが可能となる。
【００５８】
＜実施例３＞
以下、図に基づいて本発明の実施例３を説明する。
【００５９】
図８を用いて本実施例の表示装置について説明する。図８は、本実施例に係る表示装置のパネルホルダの角部の模式図を示す。
【００６０】
本実施例の概要は実施例１、２と同様であり、異なる部分について説明する。
【００６１】
実施例３のパネルホルダ３０は、クッション部材４０を固定するためのリブ（リブ部材）３０Ｒを備える。
【００６２】
リブ３０Ｒの間隔Ｚは、パネルホルダ３０の角部においてクッション部材４０ｈに押し当てられたクッション部材４０ｖの厚みＹｖとクッション部材４０ｈの厚みＹｈとよりも狭い。また、リブ３０Ｒは、表示パネル１１に接触しない高さで設ける。
【００６３】
パネルホルダ３０の角部においてクッション部材４０ｈに押し当てられたクッション部材４０ｖとクッション部材４０ｈとは、リブ３０Ｒに挟まれて固定される。したがって、パネルホルダ３０の角部においてクッション部材４０ｈに押し当てられたクッション部材４０ｖとクッション部材４０ｈとは、リブ３０Ｒによって圧縮される。
【００６４】
以上のような構成により表示パネル１１とバックライトユニット２０の間はパネルホルダ３０のクッション４０で防塵されている。
【００６５】
このため、パネルホルダ３０のクッション部材４０の角部は、縦方向のクッション部材４０ｖと横方向のクッション部材４０ｈがより確実に押し当てることができると供に、リブ３０Ｒに沿ってクッション部材４０の貼り付けできることで作業性が向上する。
【００６６】
したがって、表示パネル１１とバックライトユニット２０の間に、塵埃１００が侵入することによる表示画像への影響を抑制することが可能となる。
【符号の説明】
【００６７】
１  表示装置
１０  フレーム
１１  液晶パネル
２０  バックライトユニット
２１  光源基板
２２  光学シート
２３  反射シート
２４  バックライトケース
３０  パネルホルダ
４０  クッション部材
【図１】
2019211731.tif 000003
【図２】
2019211731.tif 000004
【図３】
2019211731.tif 000005
【図４】
2019211731.tif 000006
【図５】
2019211731.tif 000007
【図６】
2019211731.tif 000008
【図７】
2019211731.tif 000009
【図８】
2019211731.tif 000010
【図９】
2019211731.tif 000011
【図１０】
2019211731.tif 000012
【図１１】
2019211731.tif 000013